(57)【要約】      （修正有）【課題】実際のフェアウェイにおけるアイアンショットでターフを取ったときのようなスイング感覚が得られると共にミスショットした場合にはこれをはっきりと認識でき、ゴルフ練習場や自宅などでも理想的なスイングを身につけることができる新規なゴルフ練習用マットを提供する。【解決手段】床面に設置される台座１０上に、台座１０よりも小さくかつアイアンヘッドが接触したときにこれを跳ね返す反発板２０を設けると共に反発板２０と連続するように人工芝部３０を設け、反発板２０と人工芝部３０との境にゴルフボールをセットするティー部４０を備える。【選択図】図１
0003158718.tif 000002
【実用新案登録請求の範囲】
【請求項１】
床面に設置される台座上に、当該台座よりも小さくかつアイアンヘッドが接触したときにこれを跳ね返す反発板を設けると共に当該反発板と連続するように人工芝部を設け、前記反発板と人工芝部との境にゴルフボールをセットするティー部を備えたことを特徴とするゴルフ練習用マット。
【請求項２】
請求項１に記載のゴルフ練習用マットにおいて、
前記人工芝部の人工芝の高さを前記反発板の表面とほぼ同じ高さにしたことを特徴とするゴルフ練習用マット。
【請求項３】
請求項１または２に記載のゴルフ練習用マットにおいて、
前記ティー部は、台座の反発板と人工芝部との境部であってこれを裏面側から表面側に向かって縮径するように貫通する貫通孔を設け、当該貫通孔に前記台座の裏面側から前記ティー部材を着脱自在に設けてなることを特徴とするゴルフ練習用マット。
【請求項４】
請求項１〜３のいずれか１項に記載のゴルフ練習用マットにおいて、
前記反発板はゴム板であることを特徴とするゴルフ練習用マット。
【請求項５】
請求項１〜４のいずれか１項に記載のゴルフ練習用マットにおいて、
前記反発板の表面に凸部を設けたことを特徴とするゴルフ練習用マット。
【考案の詳細な説明】
【技術分野】
【０００１】
本考案は、ゴルフ練習場で設置されているアイアン練習用マットの一部あるいはゴルフ練習場や自宅などで練習する際に床面に設置して用いるゴルフ練習用マットに係り、特にアイアンショットの練習に適したゴルフ練習用マットに関するものである。
【背景技術】
【０００２】
一般に、ゴルフ場のフェアウェイにおけるアイアンショットは、スイングの最下点より極僅か手前でボールをクラブフェースで捉えるように打つのが理想的であるといわれている。具体的には、ボールの最下点から前方の芝生と土をクラブフェースのリーディングエッジで少し削り取る（ターフを取る）ようなイメージである。
しかし、従来からゴルフ練習場で使用されているアイアンショットの練習用マットは、平板なゴム板上に人工芝を平らに貼り詰めた構造をしているため、多少ダフって打ち損じたとしてもクラブヘッドがその表面を滑ってボールを捉えるため、ボールが狙い通りに飛ぶことが多い。また、ボールが置いてある面とターフにあたる面が同じ高さであるため、マットがスイングの最下点の軌道を邪魔してしまいスイングがぶれてしまう。その結果、ミスショットがわかり難く理想的なスイングが身につき難いといった問題がある。
【０００３】
これらの課題に関し、例えば以下の特許文献１では、人工芝に印を付けると共にその印の前方にターフ部を設け、このターフ部がアイアンのクラブフェースのリーディングエッジによってめくれるようにした構造のゴルフ練習用マットを提案している。
また、以下の特許文献２では、底部に平坦な可撓性材料からなる地板を設置し、その地板の上にスポンジ状の弾力性材料からなり中央部にほぼ台形の凸起部を形成したショット吸収材を接着し、そのショット吸収材の表面に人工芝を植設した構造のゴルフ練習用マットを提案している。
【０００４】
また、以下の特許文献３では、板状基部の上面に第１人工芝と第２人工芝を適宜の分割域で隔てて設け、一方の人工芝に前記板状基部に固定されない非固定部を形成した構造のゴルフ練習用マットを提案している。
【先行技術文献】
【特許文献】
【０００５】
【特許文献１】特開２００６−３２６２５３号公報
【特許文献２】実開平６−２１６６０号公報
【特許文献３】特開２００４−６５７４８号公報
【考案の概要】
【考案が解決しようとする課題】
【０００６】
しかしながら、前記特許文献１のような構造のゴルフ練習用マットでは、ショットした直後にターフ部がめくり上がることでスイングの最下点の軌道を邪魔してしまうおそれは少なくなるものの、ダフった場合でもクラブヘッドがその表面を滑ってボールを捉えてしまうため、ミスショットがわかり難い。
また、前記特許文献２のような構造のゴルフ練習用マットでは、ボールの前方に段差があることにより、スイングの最下点の軌道を邪魔してしまうおそれは少なくなるものの、実際のフェアウェイにおけるアイアンショットでターフを取ったときのような感覚は得られ難い。
【０００７】
さらに、前記特許文献３のような構造のゴルフ練習用マットでは、ダフったときにはその衝撃で非固定部が動いたりめくり上がったりするため、ミスショットがはっきりわかるが、スイングの最下点の軌道を邪魔してしまうため、理想的なスイングが身につき難い。
そこで、本考案はこれらの課題を解決するために案出されたものであり、その目的は、正しくクラブが振られときには実際のフェアウェイにおけるアイアンショットでターフを取ったときのような気持ちの良いスイング感覚が得られると共に、ダフった場合にはアイアンヘッドが弾かれ、ミスをはっきりと練習者が認識できる新規なゴルフ練習用マットに関するものである。
【課題を解決するための手段】
【０００８】
前記課題を解決するために第１の考案は、
床面に設置される台座上に、当該台座よりも小さくかつ正しくない軌道でアイアンヘッドが接触したときにこれを跳ね返す反発板を設けると共に当該反発板と連続するように人工芝部を設け、前記反発板と人工芝部との境にゴルフボールをセットするティー部を備えたことを特徴とするゴルフ練習用マットである。
このような構造をしたゴルフ練習用マットによれば、ダフったときにはアイアンヘッドが反発板と衝突して跳ね返された状態でボールを打つことになる。これによって、アイアンヘッドとゴルフボールの位置が大きくずれてゴルフボールを正確に捉え難くなるため、ダフりによるミスショットをはっきりと認識することができる。
【０００９】
また、理想的なアイアンショットをした場合には、ゴルフボールを打った直後に人工芝部内にスイングの最下点が位置するようになるが、この部分は人工芝で形成されているため、アイアンヘッドが台座と干渉（衝突）することなくスムーズに通過することができる。
さらに、ボールを打った直後にアイアンヘッドが人工芝部を通過することによって人工芝の抵抗を受けるようになるため、実際のフェアウェイにおけるアイアンショットでターフを取ったときの抵抗感と同じようなスイング感覚を得ることができる。
【００１０】
また、第２の考案は、
第１の考案において、前記人工芝部の人工芝の高さを前記反発板の表面とほぼ同じ高さにしたことを特徴とするゴルフ練習用マットである。
これによって、違和感がなくなり実際のフェアウェイにおけるアイアンショットを打つときと同じ視覚的感覚が得られると同時に、実際のフェアウェイにおけるアイアンショットでターフを取ったときの抵抗と同じようなショット時の抵抗感を得ることができる。
【００１１】
また、第３の考案は、
第１または第２の考案において、前記ティー部は、台座の反発板と人工芝部との境部であってこれを裏面側から表面側に向かって縮径するように貫通する貫通孔を設け、当該貫通孔に前記台座の裏面側から前記ティー部材を着脱自在に設けてなることを特徴とするゴルフ練習用マットである。
このような構造とすることにより、繰り返しのアイアンショットなどによってゴルフボールをセットするティー部材が破損した場合でもティー部材のみを新たなものに簡単に交換できる。また、このティー部材を台座の裏面側から表面側に向かって縮径するように貫通する貫通孔内に取り付けることでアイアンショットの衝撃などでティー部材が外れたりマット上に抜け出したりするのを防止できる。
【００１２】
また、第４の考案は、
第１〜第３の考案において、前記反発板はゴム板であることを特徴とするゴルフ練習用マットである。
このように反発板としてゴム板を用いれば、ダフってアイアンヘッドが反発板と衝突した際には必要な反発力を確実に得ることができる。
また、第５の考案は、  第１〜第４の考案において、前記反発板の表面に凸部を設けたことを特徴とするゴルフ練習用マットである。
このように反発板の表面にさらに凸部を設けることにより、反発板の反発力が高まるため、ミスショットをはっきりと知ることができる。
【考案の効果】
【００１３】
本考案によれば、正確なアイアンショットをしている限り実際のフェアウェイでターフを取るような気持ちの良いショット感覚を反復して得ることができるため、体に正しいアイアンショットを覚え込ませる練習に適している。また、ダフりによるミスショットをした場合にははっきりとミスが分かるため、自分のミスを修正することにより正しいアイアンショットに近づけることができるようになる。これによって、ゴルフ練習場や自宅などでも理想的なスイングを身につけることが可能となる。
【図面の簡単な説明】
【００１４】
【図１】本考案に係るゴルフ練習用マット１００の実施の一形態を示す斜視図である。
【図２】図１に示すゴルフ練習用マット１００の縦断面図である。
【図３】ティー部４０の構造を示す説明図である。
【図４】理想的なアイアンショットをしたときのアイアンヘッドの正常なスイング軌道を示す説明図である。
【図５】ダフった場合のアイアンヘッドのスイング軌道を示す説明図である。
【考案を実施するための形態】
【００１５】
以下、本考案の実施形態について、添付図面を参照しながら説明する。
図１および図２は本考案に係るゴルフ練習用マット１００の実施の一形態を示したものである。
図示するようにこのゴルフ練習用マット１００は、床面に設置される矩形板状をした台座１０上の右半分側に反発板２０を備えると共に、その左半分側にその反発板２０と連続するように人工芝部３０を備えた構造となっている。
【００１６】
この反発板２０は、台座１０よりも小さくかつアイアンヘッド（図示せず）が接触したときにこれをしっかりと跳ね返す部材、例えばゴム板などから構成されている。
ここで、このゴム板を構成するゴム素材としては特に限定されるものではなく、例えば、天然ゴム、合成天然ゴム、スチレンゴム、クロロプレンゴム、ブチルゴム、ニトリルゴム、エチレンプロピレンゴム、ハイパロンゴム、アクリルゴム、ウレタンゴム、シリコンゴム、フッ素ゴム、その他のゴムのいずれを用いても良いが、この中でも特に耐摩耗性に優れたウレタンゴムを用いるのが好ましい。また、その板厚も特に限定するものではないが、後述するように理想的なアイアンショットをしたときのアイアンヘッドのスイングの最下点が台座１０と干渉しない程度の厚さ、例えば少なくとも１ｃｍ以上の板厚とすることが望ましい。
【００１７】
また、この反発板２０の表面には、山形の凸部２１がその幅方向に連続して設けられている。
人工芝部３０は、台座１０上に直接あるいは図示しないベース（基布）上に人工芝３１を植設してなるものであり、その人工芝３１の高さは反発板２０の表面とほぼ同じ高さとなっている。
ここで、人工芝３１の種類や材質は特に限定されるものでなく、公知のものをそのまま適用できる。しかし、後述するように理想的なアイアンショットをしたときのアイアンヘッドのスイングの最下点が台座１０と干渉することなく、かつ反発板２０の表面とほぼ同じ高さとなるようすることから、反発板２０の板厚とほぼ同じ長さの合成樹脂製のロングパイルなどを用いることが望ましい。
【００１８】
また、この人工芝部３０と反発板２０との境であってその略中央部にはゴルフボールをセットするためのティー部４０が設けられている。
このティー部４０は、図３に示すように台座１０の反発板２０と人工芝部３０との境部であってこれを裏面側から表面側に向かって縮径するように貫通する貫通孔４１を設け、この貫通孔４１に台座１０の裏面側からティー部材４２を着脱自在に備えた構造となっている。
【００１９】
すなわち、このティー部材４２は、それぞれ鍔状の大径部と筒状の小径部とからなる断面逆さＴ字状に形成されており、同じく鍔状の大径孔と長孔状の小径孔からなる相似形の貫通孔４１内に台座１０の裏面側から挿入することで一体的に取り付けられるようになっている。なお、このティー部４０は、図３に示すような構造の他、台座１０の表面側が縮径した（窄まった）円錐状であっても良い。
【００２０】
次に、このような構成をした本考案に係るゴルフ練習用マット１００の作用及び効果を説明する。
図１に示すように、人工芝部３０側がゴルフボールの飛翔方向になるようにこのゴルフ練習用マット１００を床面に置いた状態で、アイアンクラブを手にしたプレーヤー（練習者）がこれと平行に向き合うようにして図中手前側に立つ。その後、ティー部４０にゴルフボールをセットしてから反発板２０側から人工芝部３０側に向かってアンアンクラブをスイングしてボールを打つ（アイアンショット）練習をすることになる。
【００２１】
図４は、理想的なアイアンショットをしたときのアイアンヘッドの正常なスイング軌道を、また、図５はダフった場合のアイアンヘッドのスイング軌道を示したものである。
まず図４に示すように理想的なアイアンショットを行ったときにはそのスイング軌道の最下点はゴルフボールがセットしてある位置よりも数ｃｍ程度飛翔方向前方となる。
そして、本考案に係るゴルフ練習用マット１００にあっては、この部分が人工芝３１で形成されているため、最下点に到達したアイアンヘッドが台座１０と干渉（衝突）することなくスムーズに通過することができる。
【００２２】
また、ゴルフボールを打った直後にアイアンヘッドが人工芝部３０内を通過することによって人工芝３１の抵抗を受けるようになるため、実際のフェアウェイにおけるアイアンショットでターフを取ったときの抵抗感と同じようなスイング感覚を得ることができる。
さらに人工芝部３０の人工芝３１の高さを反発板２０の表面とほぼ同じ高さにしたことにより、段差による違和感がなくなり実際のフェアウェイにおけるアイアンショットを打つときと同じ視覚的感覚が得られると同時に、実際のフェアウェイにおけるアイアンショットでターフを取ったときの抵抗と同じようなショット時の抵抗感を得ることができる。
【００２３】
一方、図５に示すように、ダフったときにはアイアンヘッドがゴルフボールＢの手前で反発板１０に設けた凸部２１と衝突して跳ね返された状態でゴルフボールＢを打つことになる。
これによって、アイアンヘッドとゴルフボールＢとの位置が大きくずれてゴルフボールＢを正確に捉え難くなるため、ダフりによるミスショットをはっきりと認識することができる。
【００２４】
また、本考案に係るゴルフ練習用マット１００にあっては、ティー部４０が貫通孔４１内にティー部材４２を着脱自在な構成となっているため、繰り返しのアイアンショットなどのよってティー部材４２が破損した場合でもそのティー部材４２のみを新たなものに簡単に交換できる。
また、このティー部材４２を台座１０の裏面側から表面側に向かって縮径するように貫通する貫通孔４１内に取り付けることでアイアンショットの衝撃などでティー部材４２が外れたりマット上に抜け出したりすることも確実に防止できる。
【符号の説明】
【００２５】
１００…ゴルフ練習用マット
１０…台座
２０…反発板
２１…凸部
３０…人工芝部
３１…人工芝
４０…ティー部
４１…貫通孔
４２…ティー部材
Ｂ…ゴルフボール
【図１】
0003158718.tif 000003
【図２】
0003158718.tif 000004
【図３】
0003158718.tif 000005
【図４】
0003158718.tif 000006
【図５】
0003158718.tif 000007